【手続補正書】
【提出日】平成26年11月12日(2014.11.12)
【手続補正１】
【補正対象書類名】特許請求の範囲
【補正対象項目名】全文
【補正方法】変更
【補正の内容】
【特許請求の範囲】
【請求項１】
複数の論理ページを１つのシートに集約して印刷する集約印刷を実行可能な印刷装置であって、
複数の論理ページを１つのシートに対応する物理ページにレイアウトした状態を示すレイアウト画面を表示する表示手段と、
前記レイアウト画面において複数の論理ページのうち特定の論理ページに対するドラッグ操作を受け付ける受付手段と、
前記ドラッグ操作によって前記特定の論理ページが移動した場合に、前記集約印刷を実行する際の論理ページのレイアウトを変更する変更手段とを備え、
前記変更手段は、前記レイアウト画面に表示されてる物理ページに前記特定の論理ページを挿入する第１のレイアウト変更処理と、新しい物理ページを作成して当該新しい物理ページに前記特定の論理ページをレイアウトする第２のレイアウト変更処理のいずれかを実行することを特徴とする印刷装置。
【請求項２】
前記変更手段は、前記特定の論理ページの移動先の領域に基づいて、前記第１のレイアウト変更処理と前記第２のレイアウト変更処理のいずれかを選択して実行することを特徴とする請求項１に記載の印刷装置。
【請求項３】
前記変更手段が前記第２のレイアウト変更処理を実行する場合、１つのシートに集約される論理ページの数が維持されて、前記新しい物理ページに前記特定の論理ページがレイアウトされることを特徴とする請求項１又は２に記載の印刷装置。
【請求項４】
前記変更手段が前記第２のレイアウト変更処理を実行する場合、１つのシートに集約される論理ページの数が解除されて、前記新しい物理ページに前記特定の論理ページがレイアウトされることを特徴とする請求項１又は２に記載の印刷装置。
【請求項５】
前記変更手段が前記第２のレイアウト変更処理を実行する場合、１つのシートに集約される論理ページの数を維持するか否かが、ユーザの選択に基づいて決定されることを特徴とする請求項１又は２に記載の印刷装置。
【請求項６】
前記レイアウト画面には複数の物理ページが表示され、
前記受付手段は、前記レイアウト画面において前記複数の物理ページのうち特定の物理ページに対するドラッグ操作を更に受け付けることが可能であり、
前記変更手段は、前記ドラッグ操作によって前記特定の物理ページが移動した場合に、前記複数の物理ページの順番を変更することを特徴とする請求項１乃至５のいずれか１項に記載の印刷装置。
【請求項７】
前記受付手段が前記特定の物理ページに対するドラッグ操作を受け付けている場合、前記表示手段は、前記レイアウト画面に表示される物理ページの数が増えるように物理ページを縮小した状態で前記レイアウト画面を表示することを特徴とする請求項６に記載の印刷装置。
【請求項８】
前記表示手段はタッチパネルであり、
前記レイアウト画面は前記タッチパネルに表示され、
前記受付手段は、前記タッチパネルを介して前記ドラッグ操作を受け付けることを特徴とする請求項１乃至７のいずれか１項に記載の印刷装置。
【請求項９】
複数の論理ページを１つのシートに集約して印刷する集約印刷に関して、論理ページのレイアウトを変更するレイアウト変更方法であって、
複数の論理ページを１つのシートに対応する物理ページにレイアウトした状態を示すレイアウト画面を表示する表示ステップと、
前記レイアウト画面において複数の論理ページのうち特定の論理ページに対するドラッグ操作を受け付ける受付ステップと、
前記ドラッグ操作によって前記特定の論理ページが移動した場合に、前記集約印刷を実行する際の論理ページのレイアウトを変更する変更ステップとを有し、
前記変更ステップにおいて、前記レイアウト画面に表示されてる物理ページに前記特定の論理ページを挿入する第１のレイアウト変更処理と、新しい物理ページを作成して当該新しい物理ページに前記特定の論理ページをレイアウトする第２のレイアウト変更処理のいずれかが実行されることを特徴とするレイアウト変更方法。
【請求項１０】
前記変更ステップにおいて、前記特定の論理ページの移動先の領域に基づいて、前記第１のレイアウト変更処理と前記第２のレイアウト変更処理のいずれかが選択されて実行されることを特徴とする請求項９に記載のレイアウト変更方法。
【請求項１１】
前記変更ステップにおいて前記第２のレイアウト変更処理が実行される場合、１つのシートに集約される論理ページの数が維持されて、前記新しい物理ページに前記特定の論理ページがレイアウトされることを特徴とする請求項９又は１０に記載のレイアウト変更方法。
【請求項１２】
前記変更ステップにおいて前記第２のレイアウト変更処理が実行される場合、１つのシートに集約される論理ページの数が解除されて、前記新しい物理ページに前記特定の論理ページがレイアウトされることを特徴とする請求項９又は１０に記載のレイアウト変更方法。
【請求項１３】
前記変更ステップにおいて前記第２のレイアウト変更処理が実行される場合、１つのシートに集約される論理ページの数を維持するか否かが、ユーザの選択に基づいて決定されることを特徴とする請求項９又は１０に記載のレイアウト変更方法。
【請求項１４】
前記レイアウト画面には複数の物理ページが表示され、
前記受付ステップでは、前記レイアウト画面において前記複数の物理ページのうち特定の物理ページに対するドラッグ操作を更に受け付けることが可能であり、
前記変更ステップでは、前記ドラッグ操作によって前記特定の物理ページが移動した場合に、前記複数の物理ページの順番を変更することを特徴とする請求項９乃至１３のいずれか１項に記載のレイアウト変更方法。
【請求項１５】
前記受付ステップで前記特定の物理ページに対するドラッグ操作を受け付けている場合、前記レイアウト画面は、前記レイアウト画面に表示される物理ページの数が増えるように物理ページを縮小した状態で表示されることを特徴とする請求項９乃至１４のいずれか１項に記載のレイアウト変更方法。
【請求項１６】
前記レイアウト画面はタッチパネルに表示され、
前記受付ステップでは、前記タッチパネルを介して前記ドラッグ操作を受け付けることを特徴とする請求項９乃至１５のいずれか１項に記載のレイアウト変更方法。
【請求項１７】
請求項９乃至１６のいずれか１項に記載のレイアウト変更方法をコンピュータに実行させるためのプログラム。
【手続補正２】
【補正対象書類名】明細書
【補正対象項目名】０００５
【補正方法】変更
【補正の内容】
【０００５】
上述した課題を解決するために、本発明が提供する印刷装置は、複数の論理ページを１つのシートに集約して印刷する集約印刷を実行可能な印刷装置であって、複数の論理ページを１つのシートに対応する物理ページにレイアウトした状態を示すレイアウト画面を表示する表示手段と、前記レイアウト画面において複数の論理ページのうち特定の論理ページに対するドラッグ操作を受け付ける受付手段と、前記ドラッグ操作によって前記特定の論理ページが移動した場合に、前記集約印刷を実行する際の論理ページのレイアウトを変更する変更手段とを備え、前記変更手段は、前記レイアウト画面に表示されてる物理ページに前記特定の論理ページを挿入する第１のレイアウト変更処理と、新しい物理ページを作成して当該新しい物理ページに前記特定の論理ページをレイアウトする第２のレイアウト変更処理のいずれかを実行することを特徴とする。